(57)【要約】【課題】簡易な構成によって、記録媒体に設けられた複数の非接触型の記憶部に対し、適正に情報を書き込むことが可能な情報伝送装置を提供する。【解決手段】情報伝送装置は、非接触型の記憶部との間で電磁波を用いた情報の伝送が可能な情報伝送手段１１０と、記録媒体Ｓを搬送する搬送手段１０５と、切断機構１０９と、制御手段とを備える。搬送手段１０５は、記録媒体Ｓの複数の位置に配置された記憶部を情報伝送手段との伝送が可能な伝送領域へと順次に移動させる。切断機構１０９は、可動刃４０１を記録媒体Ｓと交差する方向へと移動させることにより記録媒体Ｓを切断する。制御手段は、可動刃を移動させて伝送領域を制限し、情報伝送の対象外である前記記憶部が伝送領域内に含まれないようにした状態で、情報伝送手段と情報伝送の対象となる記録素子との間で情報伝送を行う。【選択図】  図１
2020087348.tif 000002
【特許請求の範囲】
【請求項１】
非接触型の記憶部との間で電磁波を用いた情報の伝送が可能な情報伝送手段と、
記録媒体を所定の搬送方向へと搬送し、前記記録媒体の前記搬送方向における複数の位置に配置された前記記憶部を前記情報伝送手段との伝送が可能な伝送領域へと順次に移動させる搬送手段と、
前記伝送領域内に移動可能な可動刃を前記搬送手段によって搬送される記録媒体と交差する方向へと移動させることにより前記記録媒体を切断する切断機構と、
前記切断機構と前記情報伝送手段を制御する制御手段と、を有し、
前記制御手段は、前記可動刃を移動させて前記伝送領域を制限し、前記伝送領域内に情報伝送の対象外である前記記憶部が含まれない状態で、前記情報伝送手段と情報伝送の対象となる記録素子との間で情報伝送を行うことを特徴とする情報伝送装置。
【請求項２】
前記制御手段は、前記記録媒体を完全に切断するフルカット位置へと移動させた状態で、前記情報伝送手段と情報伝送の対象となる前記記憶部との間で情報伝送を行うことを特徴とする請求項１に記載の情報伝送装置。
【請求項３】
前記制御手段は、前記記録媒体を部分的に切断するパーシャルカット位置へと移動させた状態で、前記情報伝送手段と情報伝送の対象となる前記記憶部との間で情報伝送を行うことを特徴とする請求項１に記載の情報伝送装置。
【請求項４】
前記制御手段は、前記可動刃を前記記録媒体と近接する位置へと移動させた状態で、前記情報伝送手段と情報伝送の対象となる前記記憶部との間で情報伝送を行うことを特徴とする請求項１に記載の情報伝送装置。
【請求項５】
前記情報伝送手段は、前記可動刃による前記記録媒体の切断位置より前記記録媒体の搬送方向下流側に配置されていることを特徴とする請求項１乃至４のいずれか１項に記載の情報伝送装置。
【請求項６】
前記情報伝送手段は、前記可動刃による前記記録媒体の切断位置より前記記録媒体の搬送方向上流側に配置されていることを特徴とする請求項１乃至４のいずれか１項に記載の情報伝送装置。
【請求項７】
前記切断機構は、前記記録媒体を切断する可動刃と固定刃とを備えることを特徴とする請求項１乃至６のいずれか１項に記載の情報伝送装置。
【請求項８】
前記記録媒体は、連続した記録媒体と、前記記録媒体の長手方向において一定の間隔を介して設けた複数のラベルと、前記各ラベルに設けた記憶部と、を備えることを特徴とする請求項１乃至７のいずれか１項に記載の情報伝送装置。
【請求項９】
前記記憶部は、非接触型のＲＦ（radio frequency）タグであることを特徴とする請求項１乃至８のいずれか１項に記載の情報伝送装置。
【請求項１０】
前記情報伝送手段は、前記記憶部に対して情報の書き込みを行う書き込み装置により構成されていることを特徴とする請求項１乃至９のいずれか１項に記載の情報伝送装置。
【請求項１１】
前記制御手段は、前記情報伝送手段と前記記憶部との間の情報伝送が完了した後、所定の指令に従って、前記記録媒体を通過させることが可能な初期位置と前記記録媒体を完全に切断するフルカット位置のいずれか一方へと前記可動刃を移動させることを特徴とする請求項１乃至１０のいずれか１項に記載の情報伝送装置。
【請求項１２】
前記可動刃は、金属により構成されていることを特徴とする請求項１乃至１１のいずれか１項に記載の情報伝送装置。
【請求項１３】
前記可動刃は、前記情報伝送手段から放射する電磁波を遮断する素材を含み構成されていることを特徴とする請求項１乃至１２のいずれか１項に記載の情報伝送装置。
【請求項１４】
非接触型の記憶部との間で電磁波を用いた情報の伝送が可能な情報伝送手段と、
記録媒体を所定の搬送方向へと搬送し、前記記録媒体の前記搬送方向における複数の位置に配置された前記記憶部を前記情報伝送手段との伝送が可能な伝送領域へと順次に移動させる搬送手段と、
前記伝送領域内に移動可能な可動刃を前記搬送手段によって搬送される記録媒体と交差する方向へと移動させることにより前記記録媒体を切断する切断機構と、を備える情報伝送装置の制御方法であって、
前記伝送領域内に情報伝送の対象外である前記記憶部が含まれないように、前記可動刃を移動させて前記伝送領域を制限する工程と、
前記情報伝送手段と情報伝送の対象となる記録素子との間で情報伝送を行う工程と、を備えることを特徴とする情報伝送装置の制御方法。
【請求項１５】
請求項１乃至１３のいずれか１項に記載の情報伝送装置と、
前記情報伝送装置に設けられた前記搬送手段により搬送された記録媒体に対して画像の記録を行う記録手段と、を備えることを特徴とする記録装置。
【発明の詳細な説明】
【技術分野】
【０００１】
本発明は、記録媒体に設けられた記憶部に情報の書き込みを行う情報伝送装置、情報伝達装置の制御方法、および記録装置に関する。
【背景技術】
【０００２】
ＲＦＩＤ（radio frequency identification）タグなどの非接触型ＩＣタグを備えた記録媒体に対し、画像などの記録動作と、ＲＦＩＤタグへの情報の読み書きとを行なうことが可能な記録装置が知られている。この種の記録装置では、書き込み装置の書き込み領域内に複数の記録媒体が存在した場合、書き込み対象としていない記録媒体のＲＦＩＤタグに書き込みが行われ、結果として誤書き込みが発生することがある。
このような誤書き込みを防止するため、特許文献１には、書き込み領域内に存在する対象外の記録媒体へと電磁波シールドを移動させ、対象外の記録媒体に設けられた非接触型ＩＣタグへの誤書き込みを防止する構成が開示されている。
【先行技術文献】
【特許文献】
【０００３】
【特許文献１】特開２００８−１２９７４６号公報
【発明の概要】
【発明が解決しようとする課題】
【０００４】
しかしながら特許文献１では、電磁波シールドを設ける場合、専用の部材を設けており、これが機器の大型化とコスト増大を招く要因となっている。
【０００５】
本発明は、切断機構の機能を利用した簡易な構成によって、記録媒体に設けられた複数の非接触型の記憶部に対し、適正に情報を書き込むことが可能な情報伝送装置、情報伝送装置の制御方法、および記録装置の提供を目的とする。
【課題を解決するための手段】
【０００６】
本発明は、非接触型の記憶部との間で電磁波を用いた情報の伝送が可能な情報伝送手段と、記録媒体を所定の搬送方向へと搬送し、前記記録媒体の前記搬送方向における複数の位置に配置された前記記憶部を前記情報伝送手段との伝送が可能な伝送領域へと順次に移動させる搬送手段と、前記伝送領域内に移動可能な可動刃を前記搬送手段によって搬送される記録媒体と交差する方向へと移動させることにより前記記録媒体を切断する切断機構と、前記切断機構と前記情報伝送手段を制御する制御手段と、を有し、前記制御手段は、前記可動刃を移動させて前記伝送領域を制限し、前記伝送領域内に情報伝送の対象外である前記記憶部が含まれない状態で、前記情報伝送手段と情報伝送の対象となる記録素子との間で情報伝送を行うことを特徴とする。
【発明の効果】
【０００７】
本発明に係る情報伝送装置によれば、記録媒体に設けられた複数の非接触型の記憶部に対し、切断機構の機能を用いた簡易な構成により、適正に情報を書き込むことが可能になる。
【図面の簡単な説明】
【０００８】
【図１】実施形態における記録装置の概略構成を示す説明図である。
【図２】実施形態における記録媒体の構成を示す概要図である。
【図３】実施形態におけるカッターユニットの構成を示す正面図である。
【図４】実施形態における制御系の概略構成を示すブロック図である。
【図５】書き込み用通信アンテナの通信可能領域を示す説明図である。
【図６】メインコントローラによって実施される制御動作を示すフローチャートである。
【発明を実施するための形態】
【０００９】
以下、本発明の実施形態について図面を参照しつつ説明する。
【００１０】
（第１の実施形態）
図１は、本実施形態における情報伝送装置を備える記録装置の概略構成を示す説明図である。記録装置１００は、記録媒体としてのシートを供給する供給ユニット１０７と、供給ユニットから供給された記録媒体に記録を行う記録手段としての記録ユニット１０１と、記録媒体を搬送する搬送ユニット１０５を備える。さらに、記録装置１００は、記録ユニット１０１によって記録された記録媒体を切断するカッターユニット１０９と、切断された記録媒体に含まれる記憶部に対して情報の書き込みを非接触で行う書き込み装置（情報伝送手段）１１０を備える。
【００１１】
本実施形態において、供給ユニット１０７は、連続したシート状の記録媒体Ｓを捲装して構成されるロールＲを備え、このロールＲから搬送ユニット１０５へと記録媒体Ｓを供給する。記録媒体Ｓは、図２に示すように、長尺で半透明なセパレータ（離罫紙）２００と、セパレータ２００上に一定のラベル間距離２０６を介して剥離可能に貼着した複数のラベル２０１を有する。各ラベル２０１には、非接触型ＩＣタグ（非接触型の記憶部）２０５が内蔵されている。
【００１２】
非接触型ＩＣタグ（以下、単にＩＣタグという）２０５は電子情報を記憶可能な不揮発性メモリを搭載したＩＣチップ２０３と、電磁波の送受信を行なうループアンテナ２０２と、これらを覆う紙もしくはＰＥＴ樹脂のフィルム２０４によって構成されている。本例では、非接触型のタグＩＣとしてＲＦＩＤ（radio frequency identification）を使用している。ＲＦＩＤとしては、ループアンテナ２０２によって受信した電磁波から電力を発生させ、その電力を電源として動作するパッシブ型のＲＦＩＤを用いている。但し、内部電源を持つアクティブ型のＲＦＩＤを適用することも可能である。
【００１３】
搬送ユニット１０５は、一対の搬送ローラ１０６ａ、１０６ｂと、両搬送ローラ１０６ａ、１０６ｂに架け渡された搬送ベルト１０７と、搬送ローラ１０６ａを駆動する搬送モータ（図１では図示せず）と、ピンチローラ１０８と、を含み構成されている。搬送ローラ１０６ａ、１０６ｂは、搬送モータによって正転または逆転し、搬送ローラ１０６ａ、１０６ｂの回転に伴って搬送ベルト１０７は正方向（Ｘ１方向）または逆方向へ（Ｘ２方向）へと移動する。ピンチローラ１０８は搬送ベルト１０７を介して搬送ローラ１０６ａと対向する位置に配置されている。供給ユニット１０７から搬送ベルト１０７に供給された記録媒体Ｓは、ピンチローラ１０８と搬送ベルト１０７に挟持されながら搬送ベルト１０７と共に正方向（Ｘ１方向）または逆方向（Ｘ２方向）へと搬送される。なお、記録媒体が搬送される正方向および逆方向を総称して搬送方向（Ｘ方向）ともいう。
【００１４】
また、搬送ユニット１０５には、供給ユニット１０７から供給された記録媒体Ｓの先端を検出するための先端検出センサ１０４が設けられ、その検出信号は後述の制御部に入力される。この先端検出センサ１０４から出力された検出信号をトリガとして、記録媒体Ｓの搬送経路上の位置を検出し、記録ユニット１０１における記録動作、カッターユニット１０９による切断動作を行う。なお、本例では、先端検出センサ１０４は、記録媒体の先端だけでなく、記録媒体Ｓを構成するラベル間の間隔をも検出可能な端部検出センサを用いている。
【００１５】
記録ユニット１０１は、インクを吐出する複数の吐出口が搬送方向と交差する方向（ここでは直交方向（Ｙ方向））へと配列された記録ヘッド（記録手段）１０２Ｈと、非記録時に記録ヘッド１０２Ｈの吐出口を覆って保護する回復桶１０３と、を含む。記録ヘッド１０２Ｈは、異なる色のインクを吐出する複数の記録ヘッド（ブラックインク用の記録ヘッド１０２Ｋ、シアンインク用の記録ヘッド１０２Ｃ、マゼンタインク用の記録ヘッド１０２Ｍ、およびイエローインク用の記録ヘッド１０２Ｙ）を含む。記録ヘッド１０２Ｈに設けられた複数の吐出口それぞれの内部には、吐出口からインクを吐出するための吐出エネルギーを発生する吐出エネルギー発生素子（記録素子）が設けられている。吐出エネルギー発生素子としては、電気熱変換素子（ヒータ）や電気機械変換素子（ピエゾ）などが知られている。各記録ヘッド１０２Ｈのそれぞれの吐出口から吐出されたインクにより、フルカラーの画像を記録媒体に記録することができる。
【００１６】
カッターユニット１０９は、搬送ユニット１０５より搬送方向下流側に配置されている。図３にカッターユニット（切断機構）１０９の構成を示す。なお、図３は記録装置の正面側（図１の左側）から観た図である。
【００１７】
カッターユニット１０９は固定刃４００と、垂直方向に移動可能な可動刃４０１とを備える。固定刃４００および可動刃４０１は、例えば、鉄、あるいはステンレスなどの金属を用いる。その他、電磁波の反射／遮断特性に優れた素材であれば、他の金属あるいは他の素材を用いることも可能である。固定刃４００および可動刃４０１は、いずれも、略垂直な面に沿って配置された板状部材により構成されている。固定刃４００の下端には略水平方向に延在する直線状の刃部４００ａが形成され、可動刃４０１の上端には、その左右から中央部にかけて下方へと傾斜する刃部４０１ａが形成されている。いずれの刃部４００ａ、４０１ａも、記録媒体の長手方向と直交するＹ方向において、記録媒体より長い範囲に形成されている。また、可動刃４０１の刃部４０１ａの中央には溝部４０１ｂが設けられている。
【００１８】
可動刃４０１は、モータなどのアクチュエータを用いた所定の移動機構により固定刃４００の一面（正面）およびその延長方向に沿って垂直方向に移動可能である。移動機構は後述の制御手段によって制御され、可動刃４０１を垂直方向において選択的に位置させることができる。
【００１９】
図３（ａ）は可動刃４０１が固定刃４００の刃部から離間した初期位置に保持されている状態を示している。この状態では、搬送手段によって搬送された記録媒体Ｓが固定刃４００と可動刃４０１との間を通過し、書き込み装置１１０の近傍へと移動することができる。
【００２０】
図３（ｂ）は可動刃４０１の溝部４０１ｂが固定刃４００の刃部４００ａを超える位置まで上昇した状態を示している。この位置まで可動刃４０１を上昇させることにより、可動刃４０１と固定刃４００との間に位置する記録媒体Ｓは完全に切断される。すなわち、記録媒体Ｓは、可動刃４０１より上流側に位置する部分と下流側に位置する部分とに完全に分断される。以下、このように記録媒体Ｓを完全に切断することをフルカットと称す。
【００２１】
図３（ｃ）は、可動刃４０１の溝部４０１ｂが固定刃４００の刃部４００ｂを超えない位置まで移動した状態を示している。この場合、可動刃４０１と固定刃４００との間に位置している記録媒体Ｓは、溝部４０１ｂと対向する部分を除き切断される。しかし、溝部４０１ｂに対向する部分は切断されないため、記録媒体Ｓは完全には分断されない。このように部分的に切断を行うことをパーシャルカットと称す。
【００２２】
以上のように本実施形態では、可動刃４０１の昇降位置によって、フルカットとパーシャルカットとを選択的に実行することが可能である。所望の切断動作が完了すると、可動刃４０１は下降し、図３（ｄ）に示す初期位置に戻る。
【００２３】
図４は本実施形態における制御系の概略構成を示すブロック図である。制御手段としてのメインコントローラ３０１は、記録装置１００を全体的に制御するＣＰＵ３０１ａを内蔵し、種々の機能を実現する。例えば入力データを記憶するための記憶制御機能、データ制御機能、および記録動作に必要な種々の設定のための設定制御機能などを有する。メインコントローラ３０１は、不図示のインタフェースおよびケーブルを介してホストコンピュータ１０に接続されており、ホストコンピュータ１０との間で信号の授受を行う。また、メインコントローラ３０１に接続されるＲＯＭ３０２には、ＣＰＵ３０１ａによって実行される制御プログラムなどが格納されている。ＣＰＵ３０１ａは、メインコントローラに接続されるＲＡＭ３０３を作業領域として使用しつつ制御プログラムを実行する。
【００２４】
ＲＡＭ３０３には、ＩＣタグ２０５に書込むべきＩＣタグデータを、前述のラベル単位で格納するＩＣタグバッファ３０４が含まれている。このＩＣタグバッファ３０４に書き込まれるＩＣタグデータは、ホストコンピュータ１０に格納されている。ホストコンピュータ１０に格納されているＩＣタグデータは、ケーブルおよびインタフェースを介してメインコントローラ３０１に転送される。さらに、メインコントローラ３０１に転送されたＩＣタグデータは、ＩＣタグバッファ３０４に転送され、ここに格納される。
【００２５】
メインコントローラ３０１に接続されたＩＣタグ通信回路（書き込み装置通信回路）３０５は、ＩＣタグ通信アンテナ（書き込み用通信アンテナ）３０６を介して、ＩＣタグバッファ３０４内のデータを重畳した電磁波を放出する。この電磁波は、後述の通信可能領域内に侵入したＩＣタグ（ＲＦＩＤタグ）２０５のループアンテナ２０２に受信される。電磁波に重畳されたデータはＩＣタグ２０５のＩＣチップ２０３に書き込まれる。
【００２６】
イメージバッファメモリ３０７は、ホストコンピュータ１０から送信される画像データを各ラベルに対応する画像単位で格納する。イメージバッファメモリ３０７は、ブラック成分、シアン成分、マゼンタ成分、シアン成分、イエロー成分の画像データのそれぞれを一時的に格納するイメージバッファメモリ３０７ＢＫ、３０７Ｃ、３０７Ｍ、３０７Ｙを含む。
【００２７】
メインコントローラ３０１に接続されたドライバコントローラ３０８は、イメージバッファメモリ３０７にビットマップ形式で格納された各色成分の画像データに従ってヘッド駆動回路３０９を制御する。ヘッド駆動回路３０９は、記録ヘッド１０２Ｈの吐出エネルギー発生素子を選択的に駆動する。これにより、各色成分に対応した記録ヘッド１０２Ｈの各吐出口から画像データに基づいて選択的にインクが吐出され、記録媒体の各ラベルにカラー画像が記録される。
【００２８】
カッター機構駆動回路３１０は、カッターモータ３１１を駆動する。また、搬送機構駆動回路３１２は、搬送ユニット１０５のモータ３１３を駆動する。これらの駆動回路は、いずれもメインコントローラ３０１によって制御される。センサ群３１４は、前述した端部検出センサ１０４を含む種々のセンサを含み構成されている。
【００２９】
ここで、上記構成を備えた記録装置の記録動作の概要を説明する。搬送ユニット１０５によって記録媒体Ｓ（シート１０７Ａ）を正方向（Ｘ１方向）へと搬送しつつ、記録媒体Ｓの各ラベルに対して記録ヘッド１０２Ｈからインクを吐出する。これにより、記録媒体Ｓ上の各ラベルに順次に画像が記録される。その後、画像が記録された記録媒体Ｓのラベル間距離２０６（図２）の中心がカッターユニット１０９における切断位置Ｐと一致した時点で、搬送ユニット１０５の動作を停止させカッターユニット１０９の可動刃４０１を所定の位置まで上昇させる。この可動刃４０１の上昇位置については後に詳述する。次いで、カッターユニット１０９の下流に設けられた書き込み装置１１０により、切断位置Ｐより下流に位置する１つのラベルに設けられたＩＣタグ２０５に対して電子情報の書き込みを行なう。この後、カッターユニット１０９の可動刃を動作させ、ラベル間距離２０６の中心である切断位置Ｐにおいて記録媒体Ｓを切断する。
【００３０】
図５は、書き込み用通信アンテナ３０６の通信可能領域を示す説明図である。図５（ａ）はカッターユニット１０９が図３（ａ）に示す初期状態に保たれているときの通信可能領域５００を示している。なお、通信可能領域５００とは、書き込み用通信アンテナ３０６から放射された電磁波がＩＣタグ２０５のループアンテナ２０２に受信され得る空間的な領域を指す。
【００３１】
可動刃４０１が図３（ａ）に示す初期位置にあるとき、可動刃４０１は固定刃４００から離間した状態にある。このため、書き込み装置１１０から放射された電磁波は、切断位置Ｐより上流側だけでなく下流側にも伝播する。つまり、書き込み装置１１０の通信可能領域５００は、切断位置Ｐの下流側と上流側とに及ぶこととなる。従ってこの場合には、書き込み装置１１０から放射された情報が、切断位置Ｐより下流側に搬送された書き込み対象のＩＣタグ５０１だけでなく、切断位置Ｐより上流側に位置する非書き込み対象のＩＣタグ５０２にも書き込まれるおそれがある。すなわち、非書き込み対象のＩＣタグ５０２に対して、異なるＩＣタグ５０１に書き込むべき情報が書き込まれる、誤書き込みが生じるおそれがある。
【００３２】
図５（ｂ）は、カッターユニットによってフルカットやパーシャルカットが行なわれたときの通信可能領域（伝送領域）５００を示している。図３（ｂ）に示すように、フルカットが行なわれた場合には、可動刃が上昇して固定刃と接触している。このため、書き込み装置１１０から放射された電磁波は金属性の可動刃と固定刃とにより遮断され、切断位置Ｐより上流側へと伝播することはなくなる。すなわち、通信可能領域は、切断位置Ｐより下流側に制限され、上流側に及ぶことはない。図３（ｃ）に示すパーシャルカットの場合には、可動刃４０１と固定刃４００との間には、溝４０１ｂにおいて離間した状態にあるが、その間隙は極めて僅かなものとなっている。このため、この場合にもフルカット時と同様に、通信可能領域が切断位置Ｐより上流側に及ぶことはない。
【００３３】
本実施形態では、切断位置Ｐより下流側に位置する書き込み対象のＩＣタグ５０１に対して書き込みを行う際、可動刃４０１をフルカットおよびパーシャルカットを行う位置に保持する。これにより、切断位置Ｐより上流側に位置する非書き込み対象であるＩＣタグ２０５に誤った情報が書き込まれることはなくなり、書き込み対象であるＩＣタグにのみ適正に情報が書き込まれる。
【００３４】
図６はメインコントローラ３０１のＣＰＵ３０１ａによって実行される一連の制御動作を示すフローチャートである。本例では、カッターユニット１０９の可動刃４０１がパーシャルカットの位置で停止している場合に書き込み装置１１０によって書き込みを行う例を示す。
【００３５】
まず、ＣＰＵ３０１ａは、ＩＣタグ２０５に対する情報の書き込み、および記録媒体Ｓへの記録を指示する動作指令が、ホストコンピュータ１０から記録装置１００のメインコントローラ３０１へと送信されているかを確認する（Ｓ１）。ホストコンピュータ１０からの動作指令が受信されていない場合には、動作指令が受信されるまで待機する。
【００３６】
一方、メインコントローラ３０１が動作指令を受信すると、ＣＰＵ３０１ａは、記録媒体Ｓに対する記録動作を開始する（Ｓ２）。すなわち、ＣＰＵ３０１ａは、給送ユニット１０７、搬送機構駆動回路３１２を駆動して記録媒体Ｓを記録ヘッド１０２Ｈへ向けて搬送する。そして、搬送された記録媒体Ｓが記録ヘッド１０２Ｈとの対向位置の下方を通過する間に、各記録ヘッド１０２Ｈを駆動する。これにより、記録媒体Ｓ上に配置された複数のラベルには画像が記録されていく。
【００３７】
記録動作開始後、Ｓ３では記録済みのラベル２０１とラベル２０１との間に設定されている切断領域２０６ａが、切断位置Ｐに到達したかを判断する。切断領域２０６ａが切断位置Ｐに到達していない場合、記録動作開始から所定時間が経過したかを判定する。ここで、所定時間が経過していた場合には、搬送ユニット１０５においてジャムが発生していると判断し、ホストコンピュータ１０にジャム通知を行うと共に、記録動作を終了する（Ｓ１１）。
【００３８】
一方、Ｓ３において記録媒体Ｓの切断領域２０６が切断位置Ｐに到達したと判定された場合にはＳ４へと移行する。Ｓ４では、カッターユニット１０９の可動刃４０１を移動させ、記録媒体Ｓの切断領域２０６をパーシャルカットする。
【００３９】
パーシャルカットの後、ＣＰＵ３０１ａは書き込み装置１１０を駆動し、書き込み用通信アンテナから、所定の書き込み情報を重畳した電磁波を放出させる。これにより、切断位置Ｐより下流側に位置する書き込み対象のＩＣタグ２０５が、ループアンテナ２０２によって電磁波を受信し、受信した電磁波から抽出した情報はＩＣチップ２０３に書き込まれる。
【００４０】
このとき、書き込み装置１１０から放射される電磁波は、可動刃４０１と固定刃４００によって遮断され、切断位置Ｐより上流側へと伝播することはない。従って、切断位置より上流側に位置する非書き込み対象のＩＣタグ２０５に対して、情報の書き込みが行われることもない。
【００４１】
なお、パーシャルカットされた記録媒体Ｓは、書き込み対象となっている１枚のラベル、すなわちパーシャルカットされた直後のラベルのみが、書き込み装置１１０の通信可能領域内に保持される。これに対し、ＩＣタグ２０５への書き込み処理が終了しているラベルは下方に垂れ下がった状態にあり、書き込み装置１１０の通信可能領域外に保持される。このため、書き込み済みのＩＣタグに対して後続のＩＣタグに書き込むべき情報が再度書き込まれることはない。つまり、切断位置Ｐより下流側において誤書き込みが生じることはない。
【００４２】
書き込み対象のＩＣタグに対する書き込み処理が完了した後、ＣＰＵ３０１ａは、動作指令の中にフルカットを指示する指令が存在するか否かを判断する（Ｓ１０５）。フルカットの指示があると判断した場合にはフルカットを実施した後、可動刃４０１を初期位置へと戻す。また、Ｓ６でフルカットの指示がない場合には、パーシャルカットの位置から可動刃４０１を初期位置へと戻す（Ｓ８）。
【００４３】
また、Ｓ７においてフルカットされて後続の記録媒体Ｓから完全に分断された記録媒体Ｓは下方の収容空間へと排出され、確実に通信可能領域外に保持される。従って、フルカットの場合には、切断位置Ｐの上流側、下流側のいずれにおいても誤書き込みの発生をより確実に抑制することができる。
【００４４】
この後、Ｓ１０８では予め定めた所定枚数のラベルの全てに対する記録が終了したかを判定する（Ｓ９）。ここで、記録すべきラベルが存在する場合には、Ｓ２へと戻り同様の処理を行う。また、全てのラベルに対する記録が行われた場合には記録動作を終了させる。
【００４５】
以上のように、本実施形態では、記録媒体Ｓを切断するためのカッターユニット１０９を用いて、非書き込み対象となるＩＣタグへの書き込みを遮断することができる。このため、非書き込み対象となるＩＣタグへの電磁波の影響を遮断するため、専用の遮断機構を設けていた従来の装置に比べ、記録装置を安価かつ小型に構成することが可能になる。
【００４６】
（第２の実施形態）
上記実施形態では、書き込み装置１１０が切断位置Ｐの下流側に配置され、書き込み装置から上流側に放射される電磁波をカッターユニット１０９によって遮断する例を示した。しかし本発明は、切断位置Ｐの上流側近傍に書き込み装置１１０が配置される構成にも有効である。この場合、切断位置Ｐの上流側で行われる書き込み処理に際し、カッターユニット１０９をパーシャルカット位置またはフルカット位置に保持するようにする。これによれば、書き込み装置から下流側に放射される電磁波をカッターユニット１０９により遮断することが可能になり、書き込み済みのＩＣタグに対して再度書き込みが行われる誤書き込みの発生を回避することができる。
【００４７】
（他の実施形態）
上記実施形態では、記録媒体を切断する位置（パーシャルカット位置またはフルカット位置）へと可動刃を移動させて、電磁波の遮断を行なう例を示した。しかし、可動刃を記録媒体の近接位置で停止させて電磁波の遮断を行うようにすることも可能である。これは、可動刃は上記実施形態のように傾斜した刃部を有するものではなく、平坦な刃部を有するものを用いることで実現可能である。
【００４８】
第１の実施形態では、カッターユニット１０９に、金属製の可動刃４０１および固定刃４００を設け、これらによって書き込み装置１１０から放射された電磁波を遮断する例を示した。しかし、書き込み装置１１０が使用する周波数帯域によっては、電磁波の遮断効果が十分に得られないこともある。この場合には、書き込み装置１１０で使用する周波数帯域に合わせた電磁波吸収シートあるいは電磁波吸収材を、可動刃４０１および固定刃４００に付着させる。これによれば、電磁波の遮断機能を実現することが可能になる。また、電磁波吸収シートあるいは電磁波吸収材を可動刃および固定刃に付着させる構成を採る場合、可動刃および固定刃を金属以外の素材によって構成することも可能である。
【符号の説明】
【００４９】
１０１  記録ユニット
１０２Ｈ  記録ヘッド（記録手段）
１０９  カッターユニット
１１０  書き込み装置（情報伝送手段）
２０５  非接触型ＩＣタグ（記憶部）
３０１  メインコントローラ（制御手段）
５００  通信可能領域
５０１  書き込み対象タグ
５０２  非書き込み対象タグ
【図１】
2020087348.tif 000003
【図２】
2020087348.tif 000004
【図３】
2020087348.tif 000005
【図４】
2020087348.tif 000006
【図５】
2020087348.tif 000007
【図６】
2020087348.tif 000008